(57)【要約】衛星ラジオ放送から気象情報を取得し、気象情報を受信メモリ１１２に記憶する。気象情報に基づいて、地図に重ねて気象情報を表示するための気象情報画像データを作成する。地図データはＤＶＤ−ＲＯＭ１１４に記憶されている。気象情報表示地図がスクロールされた場合、表示モニタ１６に表示させる地図データの範囲を移動する。それとともに地図に重ねて気象情報を表示する気象情報画像データの範囲も移動する。移動した範囲の地図データに基づいて画像メモリ１５を描画した後、移動した範囲の気象情報画像データに基づいて気象情報を表すアイコンなどを地図に重ねて描画する。画像メモリ１５に格納されている画像データを読み込んで、描画した気象情報表示地図を表示モニタ１６に表示させる。
2009016737.tif 000002
【特許請求の範囲】
【請求項１】
表示モニタに地図を表示させる地図表示制御部と、
前記地図をスクロールさせる地図スクロール部と、
気象情報を受信する気象情報受信部と、
前記気象情報を地図に重ねて表示させる気象情報表示制御部とを備え、
前記気象情報表示制御部は、前記地図がスクロールされる前に前記気象情報に基づいて生成した気象情報の画像データを用いて、スクロール後の地図に重ねて気象情報を表示させる地図表示装置。
【請求項２】
請求項１に記載の地図表示装置において、
地図データに基づいて描画した地図の画像データを記憶する地図画像データ記憶部と、
前記気象情報の画像データを記憶する気象情報画像データ記憶部とを備え、
前記気象情報表示制御部は、前記地図画像データ記憶部に記憶した地図の画像データを読み込むタイミングと、前記気象情報画像データ記憶部に記憶した気象情報の画像データを読み込むタイミングとを同期させることによって、前記表示モニタに表示される地図の表示範囲に対応する気象情報の画像データを読み込み、読み込んだ気象情報の画像データを用いて、地図に重ねて気象情報を表示させる地図表示装置。
【請求項３】
請求項１に記載の地図表示装置において、
前記気象情報の画像データは、前記スクロールされる前の地図に重ねて気象情報を表示させるために使用した画像データである地図表示装置。
【請求項４】
請求項３に記載の地図表示装置において、
前記地図表示制御部は、前記気象情報の画像データにより気象情報を表示する領域と、気象情報を表示しない領域とを表示態様を変更して地図を表示させる地図表示装置。
【請求項５】
請求項１乃至４のいずれか１項に記載の地図表示装置において、
前記気象情報表示制御部は、前記表示モニタに表示される地図の縮尺率が所定値より小さい場合、前記地図がスクロールされる前に前記気象情報に基づいて生成した気象情報の画像データを用いて、スクロール後の地図に重ねて気象情報を表示させ、前記表示モニタに表示される地図の縮尺率が所定値以上の場合、前記地図がスクロールされた後に前記気象情報に基づいて生成した気象情報の画像データを用いて、スクロール後の地図に重ねて気象情報を表示させる地図表示装置。
【請求項６】
請求項１乃至５のいずれか１項に記載の地図表示装置において、
前記気象情報表示制御部は、前記表示モニタに表示される地図の縮尺率に基づいて、前記地図に重ねて表示する気象情報の種別を変更させる地図表示装置。
【請求項７】
請求項１乃至６のいずれか１項に記載の地図表示装置において、
前記地図表示制御部は、前記表示モニタに表示される地図の縮尺率が所定値より小さい場合、前記地図に地名を表示させず、前記表示モニタに表示される地図の縮尺率が所定値以上の場合、前記地図に地名を表示させる地図表示装置。
【発明の詳細な説明】
【技術分野】
【０００１】
本発明は、所定のアイコンを地図に重ねて表示する地図表示装置に関する。
【背景技術】
【０００２】
外部の気象情報センタから取得した気象情報をワーキングメモリに記憶し、ワーキングメモリに記憶した気象情報を抽出して、表示モニタに地図とともに気象情報を表示する地図表示装置が従来技術として知られている（たとえば、特許文献１）。
【特許文献１】特開２００３−１２１１７２号公報
【発明の開示】
【発明が解決しようとする課題】
【０００３】
特許文献１に記載されているような従来の地図表示装置では、地図がスクロールされると表示される気象情報も変わることになる。このため、地図がスクロールされるごとにワーキングメモリに記憶した気象情報を抽出して、抽出した気象情報を表示するための画像データを生成し、表示モニタに気象情報を表示することになる。したがって、地図のスクロールに気象情報の表示が追いつかなくなり、気象情報が表示モニタに表示されないおそれがある。
【課題を解決するための手段】
【０００４】
本発明による地図表示装置は、表示モニタに地図を表示させる地図表示制御部と、地図をスクロールさせる地図スクロール部と、気象情報を受信する気象情報受信部と、気象情報を地図に重ねて表示させる気象情報表示制御部とを備え、気象情報表示制御部は、地図がスクロールされる前に気象情報に基づいて生成した気象情報の画像データを用いて、スクロール後の地図に重ねて気象情報を表示させる。この地図表示装置は、地図データに基づいて描画した地図の画像データを記憶する地図画像データ記憶部と、気象情報の画像データを記憶する気象情報画像データ記憶部とを備え、気象情報表示制御部は、地図画像データ記憶部に記憶した地図の画像データを読み込むタイミングと、気象情報画像データ記憶部に記憶した気象情報の画像データを読み込むタイミングとを同期させることによって、表示モニタに表示される地図の表示範囲に対応する気象情報の画像データを読み込み、読み込んだ気象情報の画像データを用いて、地図に重ねて気象情報を表示させる。また、気象情報の画像データは、スクロールされる前の地図に重ねて気象情報を表示させるために使用した画像データであることが好ましい。地図表示制御部は、気象情報の画像データにより気象情報を表示する領域と、気象情報を表示しない領域とを表示態様を変更して地図を表示させる。
以上のような地図表示装置であっては、気象情報表示制御部が、表示モニタに表示される地図の縮尺率が所定値より小さい場合、地図がスクロールされる前に気象情報に基づいて生成した気象情報の画像データを用いて、スクロール後の地図に重ねて気象情報を表示させ、表示モニタに表示される地図の縮尺率が所定値以上の場合、地図がスクロールされた後に気象情報に基づいて生成した気象情報の画像データを用いて、スクロール後の地図に重ねて気象情報を表示させる。
本発明による地図表示装置の気象情報表示制御部は、表示モニタに表示される地図の縮尺率に基づいて、地図に重ねて表示する気象情報の種別を変更させるようにしてもよい。
本発明による地図表示装置の地図表示制御部は、表示モニタに表示される地図の縮尺率が所定値より小さい場合、地図に地名を表示させず、表示モニタに表示される地図の縮尺率が所定値以上の場合、地図に地名を表示させるようにしてもよい。
【発明の効果】
【０００５】
本発明によれば、気象情報を表示させるための気象情報画像データを、地図がスクロールされる前に作成し、地図がスクロールされた場合、その気象情報画像データを用いて地図に重ねて気象情報を表示させるようにした。したがって、地図がスクロールされるごとにワーキングメモリに記憶した気象情報を抽出して、抽出した気象情報を表示するための画像データを生成する必要がないので、地図がスクロールされているとき、あるいは地図のスクロール後、速やかに気象情報を表示させることができる。
【図面の簡単な説明】
【０００６】
【図１】本発明の一実施形態によるナビゲーション装置の構成を示すブロック図である。
【図２】エリアごとに送信される気象情報を説明するための図である。
【図３】気象情報表示地図を描画する回路を説明するための図である。
【図４】スクロールされる前とスクロールされたときの気象情報表示地図を説明するための図である。
【図５】スクロールされたときに表示される気象情報表示地図の表示範囲を説明するための図である。
【図６】スクロールされたときに表示される気象情報の表示範囲を説明するための図である。
【図７】従来の気象情報表示地図の表示処理を説明するための図である。
【図８】本発明の実施形態における気象情報表示処理を説明するためのフローチャートである。
【図９】本発明の実施形態における気象情報表示処理を説明するためのフローチャートである。
【図１０】スクロール前の気象情報表示地図に使用した気象情報画像データを用いて表示した、スクロールされたときの気象情報表示地図を説明するための図である。
【図１１】気象情報表示地図の縮尺率によって、気象情報表示地図に表示する気象情報の種別を変更した気象情報表示地図を説明するための図である。
【図１２】気象情報表示地図の縮尺率によって、気象情報表示地図に地名の表示／非表示を行う気象情報表示地図を説明するための図である。
【発明を実施するための最良の形態】
【０００７】
図１は、本発明の実施形態によるナビゲーション装置１を示す。このナビゲーション装置１は、衛星ラジオ放送による気象情報を受信し、その気象情報を地図に重ねて表示モニタ１６に表示することができる。既知の衛星ラジオ放送として、たとえば、シリウスサテライトラジオなどがある。ナビゲーション装置１は、制御回路１１、ＲＯＭ１２、ＲＡＭ１３、現在地検出装置１４、画像メモリ１５、表示モニタ１６、スピーカ１７、入力装置１８、タッチパネル１９、タッチパネルコントロール部１１０、衛星ラジオ受信部１１１、受信メモリ１１２およびディスクドライブ１１３を有している。ディスクドライブ１１３には、地図データが記憶されたＤＶＤ−ＲＯＭ１１４が装填されている。【０００８】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ１１４に記憶された地図データに基づいて所定の経路探索処理を行うと、その処理結果が推奨経路として表示モニタ１６に表示される。制御回路１１は、アドレス発生回路１１ａ、アドレス変換回路１１ｂおよび上描き回路１１ｃを有する。アドレス発生回路１１ａ、アドレス変換回路１１ｂおよび上描き回路１１ｃについての説明は後述する。【０００９】
ＲＡＭ１３は、地図描画用メモリ１３ａおよび気象情報描画用メモリ１３ｂを有する。地図描画用メモリ１３には、地図データに基づいて、表示モニタ１６に表示するための地図が描画される。気象情報描画メモリ１３ｂには、後述する受信メモリに記憶された気象情報に基づいて、表示モニタ１６に表示するための気象情報が描画される。【００１０】
現在地検出装置１４は車両の現在地を検出する装置である。現在地検出装置１４は、振動ジャイロ１４ａ、車速センサ１４ｂ、ＧＰＳ（Global Positioning System）センサ１４ｃなどからなる。振動ジャイロ１４ａは、車両の進行方向を検出する。車速センサ１４ｂは、車速を検出する。ＧＰＳセンサ１４ｃはＧＰＳ衛星からのＧＰＳ信号を検出する。ナビゲーション装置１は、この現在地検出装置１４により検出された車両の現在地に基づいて、地図の表示範囲や経路探索開始点などを決定する。また、車両の現在地を地図上に自車位置マークとして表示する。【００１１】
画像メモリ１５は、表示モニタ１６に表示するための画像データを格納する。この画像データは道路地図描画用データや各種の図形データからなる。それらはＤＶＤ−ＲＯＭ１１４に記憶された地図データなどに基づいて、制御回路１１において適宜生成される。ナビゲーション装置１は、このようにして生成された画像データを用いることによって地図表示などを行うことができる。【００１２】
ディスクドライブ１１３は、ＤＶＤ−ＲＯＭ１１４から地図データを読み出す。地図データは、地図表示用データ、経路探索用データなどを含む。地図表示用データおよび経路探索用データには、地図データに格納されている道路のリンク情報およびノード情報が含まれている。地図表示用データは、広域から詳細まで７段階の縮尺の地図データを有する。これにより、ユーザの要求にしたがって、表示地図の縮尺を７段階に変更することができる。なお、ＤＶＤ−ＲＯＭ１１４以外の他の記録メディア、たとえばＣＤ−ＲＯＭやハードディスクなどより地図データを読み出してもよい。【００１３】
表示モニタ１６は、地図データなどの各種情報に基づいて、自車位置付近の地図などの各種情報を画面表示としてユーザに提供する。スピーカ１７は、各種入力操作をユーザに指示したり、経路誘導したりするための音声を出力する。入力装置１８は、ユーザが各種コマンドの設定などするための操作キーを有し、操作パネル上のボタンスイッチやパネル周囲のハードスイッチなどによって実現される。ユーザが各種コマンドの設定などするための操作キーを有し、操作パネル上のボタンスイッチやパネル周囲のハードスイッチなどによって実現される。また、入力装置１８を操作することによって、表示モニタ１６に表示されている地図の縮尺率を変更したり、地図をスクロールしたりすることができる。たとえば、１／５万の地図の縮尺率は、１／５００００である。ユーザは、表示モニタ１６の表示画面の指示やスピーカ１７からの音声指示にしたがって入力装置１８を手動で操作することにより、目的地を設定する。また、入力装置１８を操作することによって、衛星ラジオ放送を選局することができる。【００１４】
目的地がユーザにより設定されると、ナビゲーション装置１は現在地検出装置１４により検出された現在地を出発地とし、目的地までの経路演算を所定のアルゴリズムに基づいて行う。このようにして求められた経路（以下、推奨経路という）は、表示形態、たとえば表示色などを変えることによって、ほかの道路とは区別して画面表示される。これにより、ユーザは地図上の推奨経路を画面上で認識することができる。また、ナビゲーション装置１は、推奨経路にしたがって車両が走行できるように、ユーザに対して画面や音声などによる進行方向指示を行い、車両を経路誘導する。【００１５】
タッチパネル１９は、表示モニタ１５の表面に積層される透明のタッチスイッチである。表示モニタ１６に表示される画像はタッチパネル１９を通して表示される。したがって、表示モニタ１６の表示画面を押圧するとタッチパネル１９が押圧される。タッチパネル１９は、タッチパネル１９上の操作位置に応じた信号をタッチパネルコントロール部１１０に送出する。タッチパネルコントロール部１１０はタッチパネル１９の押圧位置を算出する。【００１６】
表示モニタ１６に表示された各種ボタンや表示メニューなどを指などで押圧するとタッチパネル１９は押圧される。そして、各種ボタンや表示メニューに定義された処理が実行される。【００１７】
衛星ラジオ受信部１１１は、図示しない衛星ラジオ局から人工衛星を介して放送される衛星ラジオ放送を受信し、制御回路１１に出力する。受信した衛星ラジオ放送は、スピーカ１７より出力される。また、衛星ラジオ受信部１１１によって受信された衛星ラジオ放送の気象情報は受信メモリ１１２に気象テーブルとして記憶される。【００１８】
衛星ラジオ放送の気象情報は、天気図の情報や、台風、ハリケーンなどの嵐の情報、気象レーダによる雨量分布の情報、各観測地点における風向きや風力の情報などを有する。天気図の情報として、たとえば、高気圧あるいは低気圧の位置（緯度・経度）の情報、温暖前線あるいは寒冷前線の位置情報、等圧線の情報、気圧の情報などが含まれる。嵐の情報には、台風、ハリケーン、竜巻、霰、雹、雷雨などの所定地域内の観測位置や予想進路（移動方向）の情報などが含まれる。雨量分布の情報には、雨が降っている地域の観測位置とその位置における雨量の情報などが含まれる。【００１９】
衛星ラジオ放送の気象情報では、国全体、あるいはヨーロッパ地域などの地域全体の気象情報を一括に送信するのではなく、所定のエリアごとに分割して送信する。たとえば、日本の場合、図２に示すように、本州付近の気象情報を１２のエリア２１Ａ〜２１Ｌに分割して送信することができる。【００２０】
受信メモリ１１２は、フラッシュメモリやハードディスクなどの書き換え可能な不揮発性記録媒体によって構成される。受信メモリ１１２は、衛星ラジオ受信部１１０によって受信された気象情報をエリア２１Ａ〜２１Ｌごとに記憶する。受信メモリ１１２に記憶された気象情報は、アイコン、等圧線、寒冷前線などとして地図上に表示される。【００２１】
次に、図３を参照して、気象情報を表示した地図の画像データの生成処理について説明する。制御回路１１は、表示モニタ１６の表示範囲に対応する地図データに基づいて、地図画像データを生成し、地図描画用メモリ１３ａに記憶させる。また、制御回路１１は、受信メモリ１１２に記憶した気象情報と表示されている地図の縮尺率に基づいて、気象情報画像データを生成し、気象情報描画用メモリ１３ｂに生成した気象情報画像データを記憶させる。【００２２】
上描き回路１１ｃで、地図描画用メモリ１３ａから出力した地図画像データの画像に、気象情報描画用メモリ１３ｂから出力した気象情報画像データの画像を上描きして気象情報を表示した地図の画像データを生成する。このとき、出力された地図画像データの表示範囲に対応した気象情報画像データを読み出せるようにするため、アドレス発生回路１１ａによって、地図画像データの読み出しのタイミングと気象情報画像データの読み出しのタイミングとを同期させる。地図画像データと、その地図画像データの地図上の位置（緯度・経度）に対応する気象情報画像データとは、メモリ１３ａ，１３ｂにおけるアドレスが同じであるとは限らない。そこで、地図画像データを読み出すとき、その地図画像データの地図上のに対応する気象情報画像データを読み出せるようにするため、アドレス変換回路１１ｂにより変換したアドレスで気象情報画像データを気象情報描画用メモリ１３ｂから読み出す。【００２３】
次に、図４〜図６を参照して、本発明の実施形態における気象情報表示処理について説明する。本発明の実施形態では、気象情報を表示した地図をスクロールさせることができる。【００２４】
図４（ａ）は、スクロールされる前の気象情報を表示した地図３０を説明するための図である。以下、気象情報を表示した地図を気象情報表示地図と呼ぶ。また、気象情報を表示しない地図を単に地図と呼ぶ。気象情報表示地図３０は北を上とする。図４（ａ）に示すように、スクロールされる前の気象情報表示地図３０には、気象情報を示すアイコン２１ａ〜２１ｍが表示されている。アイコン２１ａ〜２１ｄ，２１ｇ〜２１ｍは雹あるいは霰を示すものである。アイコン２１ｅ，２１ｆは竜巻を示すものである。【００２５】
図４（ｂ）は、気象情報表示地図３０が北東の方向にスクロールされたときに表示される気象情報表示地図４０を説明するための図である。図４（ｂ）に示すように、スクロールされたときの気象情報表示地図４０には、気象情報を示すアイコン２１ｂ〜２１ｑが表示されている。アイコン２１ｂ〜２１ｄ，２１ｇ〜２１ｍは雹あるいは霰を示すものである。アイコン２１ｅ，２１ｆ，２１ｏ〜２１ｑは竜巻を示すものである。【００２６】
図５および図６を参照して、気象情報表示地図３０がスクロールされて表示モニタ１６に気象情報表示地図４０が表示されるときの気象情報表示処理を説明する。図５（ａ）は、ＤＶＤ−ＲＯＭ１１４に記憶されている地図データ５０を、地図の形で模式的に表示したものである。範囲５１は、スクロール前の気象情報表示地図３０における地図データの表示範囲５１を示す。スクロール前は、表示範囲５１における地図データに基づいて地図描画用メモリ１３ａに地図が描画される。入力装置１８の操作によって、北東の方向への気象情報表示地図３０のスクロールが指示されると、地図データの表示範囲は、表示範囲５１から北東の方向の表示範囲５２に移動する。そして、図５（ｂ）に示すように、制御回路１１は、表示範囲５２の地図データに基づいて、地図描画用メモリ１３ａに地図６０を描画する。【００２７】
気象情報表示地図３０に気象情報を表示させるために使用する気象情報は、図２のエリア２１Ｃおよびエリア２１Ｄの気象情報である。本発明の実施形態における気象情報処理では、エリア２１Ｃおよびエリア２１Ｄにおける気象情報から、エリア２１Ｃおよびエリア２１Ｄに対応する地図に重ねて気象情報を表示するための気象情報画像データを制御回路１１で予め生成し、地図描画用メモリ１３ａに記憶させておく。【００２８】
気象情報画像データは、表示モニタ１６に表示される地図の縮尺率に基づいて生成される。したがって、地図の縮尺率が変わると、改めて気象情報画像データを生成して、地図描画用メモリ１３ａに記憶させておく。【００２９】
気象情報地図がスクロールしているときの、またはスクロール後の気象情報地図の表示範囲がエリア２１Ｃあるいはエリア２１Ｄに含まれる場合、その画像データをそのまま用いて気象情報を表示モニタ１６に表示させる。一方、気象情報地図がスクロールしているときの、またはスクロール後の気象情報地図の表示範囲がエリア２１Ｃおよびエリア２１Ｄから外れた場合、改めて気象情報地図が含まれるエリアの気象情報を抽出して気象情報画像データを生成して、地図描画用メモリ１３ａに記憶させておく。【００３０】
図６（ａ）は、生成した気象情報の気象情報画像データを地図の形で模式的に表示したものである。【００３１】
範囲７１は、スクロール前の気象情報表示地図３０における気象情報画像データの表示範囲７１を示す。図５の表示範囲５１の地図データに基づいて描いた地図に、表示範囲７１の気象情報画像データを用いて気象情報を上描きし、その上描きした画像データを表示モニタ１６に表示させると、図３（ａ）の気象情報表示地図３０が表示される。【００３２】
入力装置１８の操作によって、気象情報表示地図３０の北東の方向へのスクロールが指示されると、気象情報画像データの表示範囲は、表示範囲７１から表示範囲７２に移動する。そして、図６（ｂ）に示すように、表示範囲７２の気象情報画像データを用いて、地図描画用メモリ１３ａに描画された地図６０に気象情報を上描きし、気象情報表示地図４０の画像データ８０が生成される。画像データ８０は、画像メモリ１５に格納される。画像メモリ１５に格納された画像データ８０を表示モニタ１６に表示させることによって、気象情報表示地図４０が表示される。【００３３】
従来の気象情報表示処理では、以下のようにして、気象情報表示地図４０を表示モニタ１６に表示させる。図７（ａ）に示すように、制御回路１１は、図７（ｂ）に示す表示範囲５２の地図データに基づいて、画像メモリ１５にスクロール後の地図６０を描画する。表示範囲５２の地図データに基づいて、受信メモリ１１２に記憶されている気象情報から表示範囲５２に対応する気象情報を抽出する。そして、図７（ｃ）に示すように抽出した気象情報に基づいて、気象情報を表示するための画像データを生成し、図７（ａ）に示す地図６０に重ねて気象情報２１ｂ〜２１ｑを描画する。描画した画像データ８０を表示モニタ１６に表示させることによって、気象情報表示地図４０が表示される。【００３４】
この場合、受信メモリ１１２に記憶されている気象情報から表示範囲５２に対応する気象情報を抽出する処理の処理時間と、抽出した気象情報に基づいて、気象情報を表示するための画像データを生成する処理の処理時間とが長いため、スクロール中、気象情報が表示されなかったり、スクロール後すぐに気象情報が表示されなかったりすることがある。【００３５】
次に、図８および図９のフローチャートを参照して、本発明の実施形態における気象情報表示処理について説明する。図８および図９の処理は、不図示のメニューから気象情報表示が選択されるとスタートするプログラムであり、制御回路１１により実行される。【００３６】
ステップＳ７０１では、地図の表示範囲を検出する。ステップＳ７０２では、地図の表示範囲を有する気象情報のエリアを検出する。ステップＳ７０３では、検出した気象情報のエリアの気象情報画像データを作成する。作成した気象情報画像データは気象情報描画用メモリ１３ｂに記憶される。ステップＳ７０４では、地図の表示範囲に対応する地図データを用いて地図描画用メモリ１３ａに地図を描画する。ステップＳ７０５では、地図の表示範囲に対応する気象情報画像データを抽出する。ステップＳ７０６では、抽出した気象情報画像データを用いて地図描画用メモリ１３ａに描画された地図に重ねて、気象情報を上描きで描画する。描画した画像データは画像メモリ１５に格納される。ステップＳ７０７では、地図に重ねて気象情報が描画された画像データを画像メモリ１５から読み出して、表示モニタ１６に気象情報表示地図を表示させる。【００３７】
図９のステップＳ８０１では、地図の表示範囲を検出する。ステップＳ８０２では、地図の表示範囲は、気象情報画像データを作成した気象情報のエリアに含まれるか否かを判定する。地図の表示範囲は、気象情報画像データを作成した気象情報のエリアに含まれる場合はステップＳ８０２が肯定判定され、ステップＳ８０３へ進む。地図の表示範囲は、気象情報画像データを作成した気象情報のエリアに含まれない場合はステップＳ８０２が否定判定され、図８のステップＳ７０２に戻る。この場合、新たに気象情報画像データを作成し、新たに作成した気象情報画像データを用いて気象情報を地図に重ねて描画することになる。ステップＳ８０３では、表示モニタ１６に表示される地図の縮尺率が変更されたか否かを判定する。表示モニタ１６に表示される地図の縮尺率が変更された場合はステップＳ８０３が肯定判定され、図８のステップＳ７０２に戻る。表示モニタ１６に表示される地図の縮尺率が変更されていない場合はステップＳ８０３が否定判定され、図８のステップＳ７０４に戻る。この場合、すでに作成してある気象情報画像データを用いて気象情報を地図に重ねて描画することになる。【００３８】
以上の本発明の実施の形態によるナビゲーション装置１は次のような作用効果を奏する。
気象情報を表示させるための気象情報画像データ７０を、地図がスクロールされる前に作成し、地図がスクロールされた場合、その気象情報画像データ７０を用いて地図に重ねて気象情報を表示させるようにした。したがって、地図がスクロールされるごとに受信メモリ１１２に記憶した気象情報を抽出して、抽出した気象情報を表示するための画像データを生成する必要がないので、スクロール中、気象情報を地図に重ねて表示させる、あるいは、スクロール後すぐに地図に重ねて気象情報を表示させることができる。【００３９】
以上の実施の形態を次のように変形することができる。
−他の実施の形態１−
図１０（ａ）に示すように、スクロール後の表示範囲７２の気象情報画像データを用いるのではなく、スクロール前の表示範囲７１の気象情報画像データを用いてスクロール後の気象情報表示地図４０Ａを表示させるようにしてもよい。気象情報画像データの中から、表示範囲７２の気象情報画像データを抽出する必要がなく、気象情報表示処理の処理時間がさらに短くなる。スクロール前の表示範囲７１の気象情報画像データには、アイコン２１ｏ〜２１ｑが含まれていないので、スクロール後の気象情報表示地図４０Ａには、アイコン２１ｏ〜２１ｑは表示されない。スクロールによる気象情報表示地図の移動距離が短い場合、スクロール前の表示範囲７１の気象情報画像データとスクロール後の表示範囲７２の気象情報画像データとは、あまり異ならないので、特に有効である。【００４０】
また、この場合、気象情報がないためアイコン２１ｏ〜２１ｑが表示されないのか、気象情報画像データがないためアイコン２１ｏ〜２１ｑが表示されないのかを明確にするため、図１０（ｂ）に示すように、抽出した気象情報画像データの範囲４１が表示態様を変えて気象情報表示地図４０Ｂに表示されるようにしてもよい。図１０（ｂ）に示す気象情報表示地図４０Ｂでは、抽出した気象情報画像データの範囲４１と、それ以外の範囲とでは、地図の表示色を異なるようにしている。【００４１】
−他の実施の形態２−
気象情報表示地図の縮尺率によって、予め作成した気象情報画像データを用いてスクロール後の気象情報を表示させたり、スクロール後の地図の表示範囲における気象情報を抽出して画像データを生成し、スクロール後の気象情報を表示させたりするようにしてもよい。地図の縮尺率が所定値よりも小さい（広域地図）の場合は、抽出する気象情報のエリア２１Ａ〜２１Ｌが多いため、受信メモリ１１２に記憶されている気象情報から地図の表示範囲に対応する気象情報を抽出する処理の処理時間と、抽出した気象情報に基づいて気象情報を表示するための画像データを生成する処理の処理時間とが長くなる。一方、地図の縮尺率が所定値以上（詳細地図）の場合、抽出する気象情報のエリア２１Ａ〜２１Ｌの数が少ないため、受信メモリ１１２に記憶されている気象情報から地図の表示範囲に対応する気象情報を抽出する処理の処理時間と、抽出した気象情報に基づいて気象情報を表示するための画像データを生成する処理の処理時間とがあまり長くならないからである。【００４２】
−他の実施の形態３−
気象情報表示地図の縮尺率によって、気象情報表示地図に表示する気象情報の種別を変更するようにしてもよい。たとえば、気象情報表示地図の縮尺率が小さい場合、図１１（ａ）に示す気象情報表示地図４０Ｃのように、雨量レーダにより計測された雨量分布９１、寒冷前線あるいは温暖前線９２、等圧線９３、気圧９４、台風９５、竜巻９６、高気圧あるいは低気圧９７を気象情報として表示させる。気象情報表示地図の縮尺率が中程度の場合、図１１（ｂ）に示す気象情報表示地図４０Ｄのように、雨量レーダにより計測された雨量分布９１、台風９５を気象情報として表示させる。気象情報表示地図の縮尺率が大きい場合、図１１（ｃ）に示すように、雨量レーダにより計測された雨量分布９１、風速および風向き９８を気象情報として表示させる。これにより、気象情報表示地図の縮尺率に適した気象情報を表示させることができる。【００４３】
−他の実施の形態４−
気象情報表示地図の縮尺率によって、気象情報表示地図に地名を表示したり表示しないようにしたりするようにしてもよい。たとえば、図１２（ａ）に示すように、気象情報表示地図４０Ｆの縮尺率が所定値より小さい場合、気象情報表示地図４０Ｆに地名を表示しない。一方、図１２（ｂ）に示すように、気象情報表示地図４０Ｇの縮尺率が所定値以上の場合、気象情報表示地図４０Ｇに地名を表示するようにしてもよい。これにより、おおまかな気象情報を知りたいときは、地名の表示に邪魔されずに気象情報を認識することができ、狭い範囲の気象情報を詳しく知りたいとき、地名の表示によって、気象情報が表示されている位置を正確に認識することができる。【００４４】
以上の説明はあくまで一例であり、発明は、上記の実施形態に何ら限定されるものではない。たとえば、ナビゲーション機能を持たない地図表示可能な電子情報処理にも本発明は適用できる。
【図１】
2009016737.tif 000003
【図２】
2009016737.tif 000004
【図３】
2009016737.tif 000005
【図４】
2009016737.tif 000006
【図５】
2009016737.tif 000007
【図６】
2009016737.tif 000008
【図７】
2009016737.tif 000009
【図８】
2009016737.tif 000010
【図９】
2009016737.tif 000011
【図１０】
2009016737.tif 000012
【図１１】
2009016737.tif 000013
【図１２】
2009016737.tif 000014
【国際調査報告】
2009016737.tif 000015
2009016737.tif 000016